(57)【要約】【課題】この発明は、各タスク間のソケット通信を用いたデータの送受信において、データの送受信処理が簡単化され、通信オーバヘッドを削減できる。【解決手段】この発明は、送信元のタスクが送信データをファイル化して記憶装置に記録し、前記記憶装置に記録した送信データのファイルを示す情報及び送信先のタスクを示す情報とからなる通知データをソケット通信にて送信先のタスクへ送信し、送信先のタスクが前記通知データを受信した際、通知データに基づいて前記記憶装置に記憶されている送信データを復元するようにしたものである。【選択図】　　図２
2004094808.tif 000002
【特許請求の範囲】
【請求項１】
ソケット通信を用いた複数タスク間の通信方法であって、
送信元のタスクが送信データをファイル化し、このファイル化した送信データを記憶装置に記憶し、前記記憶装置に記憶した送信データのファイルを示す情報及び送信先のタスクを示す情報とからなる通知データをソケット通信にて送信先のタスクへ送信し、
送信先のタスクが前記通知データを受信した際、当該通知データに基づいて前記記憶装置に記録されている送信データを復元する、
ことを特徴とする通信方法。
【請求項２】
前記送信データのファイルを示す情報は、少なくとも、ファイル名及びファイルの属性を示す属性情報を含み、
前記送信データの復元は、前記ファイル名により特定されるファイルを属性情報に基づいて復元する、ことを特徴とする前記請求項１に記載の通信方法。
【請求項３】
ソケット通信を用いた複数のタスク間の通信方法であって、送信元のタスクが送信データをファイル化し、このファイル化した送信データを記憶装置に記憶し、前記記憶装置に記憶した送信データのファイルを示す情報及び送信先のタスクを示す情報とからなる通知データを他のタスクへ送信し、
前記通知データを受信したタスクが自身宛の通知データか否かを判定し、この判定により自身宛の通知データでないと判定した場合、当該通知データを他のタスクへ転送し、前記判定により自身宛の通知データであると判定した場合、当該通知データに基づいて前記記憶装置に記録されている前記送信データを復元する、
ことを特徴とする通信方法。
【請求項４】
ソケット通信を用いた複数のタスク間の通信方法であって、送信元のタスクが他のタスクへ送信する送信データがソケット通信において分割される可能性があるか否かを判断し、この判断により前記送信データが分割される可能性があると判断した場合、前記送信データをファイル化し、このファイル化した前記送信データを記憶装置に記憶し、前記記憶装置に記憶した前記送信データのファイルを示す情報及び送信先のタスクを示す情報とからなる通知データを他のタスクへ送信し、
前記通知データを受信したタスクが自身宛の通知データか否かを判定し、この判定により自身宛の通知データでないと判定した場合、当該通知データを他のタスクへ転送し、前記判定により自身宛の通知データであると判定した場合、当該通知データに基づいて前記記憶装置に記録されている前記送信データを復元する、
ことを特徴とする通信方法。
【請求項５】
複数の処理部間でソケット通信を行う制御装置において、
各処理部は、
他の処理部へ送信データを送信する際に、前記送信データをファイル化するファイル化手段と、
このファイル化手段によりファイル化した前記送信データを記憶装置に記録する記録手段と、
前記記憶装置に記録した前記送信データのファイルを示す情報及び送信先の処理部を示す情報とからなる通知データをソケット通信にて送信先の処理部へ送信する送信手段と、
自身宛の通知データを受信した際に、当該通知データのファイルを示す情報に基づいて前記記憶装置に記憶されている前記送信データを復元する復元手段と、を有する、
ことを特徴とする制御装置。
【請求項６】
前記通知データは、少なくとも、前記送信データのファイルを示すファイル名及びファイルの属性を示す属性情報を含み、
前記復元手段は、前記ファイル名により特定されるファイルを属性情報に基づいて復元する、ことを特徴とする前記請求項５に記載の制御装置。
【請求項７】
複数の処理部間でソケット通信を行う制御装置において、
各処理部は、
他の処理部へ送信データを送信する際に、前記送信データをファイル化するファイル化手段と、
このファイル化手段によりファイル化した前記送信データを記憶装置に記録する記録手段と、
前記記憶装置に記録した前記送信データのファイルを示す情報及び送信先の処理部を示す情報とからなる通知データを他の処理部へ送信する送信手段と、
前記通知データを受信した際、自身宛の通知データか否かを判定する判定手段と、
この判定手段により自身宛の通知データでないと判定した場合、当該通知データを他の処理部へ転送する転送手段と、
前記判定手段により自身宛の通知データであると判定した場合、当該通知データに基づいて前記記憶装置に記憶されている前記送信データを復元する復元手段と、を有する、
ことを特徴とする制御装置。
【請求項８】
複数の処理部間でソケット通信を行う制御装置において、
各処理部は、
他の処理部へ送信データを送信する際に、ソケット通信において前記送信データが分割される可能性があるか否かを判断する判断手段と、
この判断手段により送信データが分割される可能性があると判断した場合、前記送信データをファイル化するファイル化手段と、
このファイル化手段によりファイル化した前記送信データを記憶装置に記録する記録手段と、
前記記憶装置に記録した前記送信データのファイルを示す情報及び送信先の処理部を示す情報とからなる通知データを他の処理部へ送信する送信手段と、
前記通知データを受信した際、自身宛の通知データか否かを判定する判定手段と、
この判定手段により自身宛の通知データでないと判定した場合、当該通知データを他の処理部へ転送する転送手段と、
前記判定手段により自身宛の通知データであると判定した場合、当該通知データに基づいて前記記憶装置に記憶されている前記送信データを復元する復元手段と、を有する、
ことを特徴とする制御装置。
【発明の詳細な説明】
【０００１】
【発明の属する技術分野】
この発明は、ソケット通信を用いた複数タスク間あるいは複数装置間の通信方法及びその通信方法が適用される制御装置に関する。
【０００２】
【従来の技術】
従来、ＯＳ（オペレーティングシステム）上で動作するアプリケーションにおいて、複数タスク間で通信する手段のひとつとしてソケット通信がある。上記ソケット通信は、ＴＣＰ／ＩＰプロトコルを用いた通信方式となっている。上記ソケット通信において、ネットワーク内で定められたサイズ（ＭＴＵ：　Ｍａｘｉｍｕｍ　Ｔｒａｎｓｆｅｒ　Ｕｎｉｔ）を超える送信データは、ネットワーク内で分割されて送受信されるという特徴を有している。
【０００３】
従って、ソケット通信において、各アプリケーション間では、送信側から１回で送ったデータが受信側で複数回に分割されて受信される。つまり、ソケット通信において、送信データが所定のサイズよりも大きい場合、１つの送信データがネットワーク上で複数のデータに分割され、受信側には複数に分割されたデータが受信される。このため、ソケット通信を用いてデータの送信を行うシステムあるいは装置では、アプリケーションを開発する際に、送信データが所定のサイズを超えた場合に分割されることを考慮しなければならない。
【０００４】
上記のような従来のソケット通信では、以下のような問題点がある。
（１）分割されたデータを復元する処理などの複雑なシーケンス制御が必要となる。
すなわち、データの受信側のタスク（装置）では、データが分割されているか否かを検知する仕組み、及び、分割されたデータを元のデータに復元する仕組みが必要となるという問題点がある。また、複数タスク間でデータ通信が行われる場合、複数タスクから同時に送信データが送信され、さらに、各送信データが分割された際、受信側では、送信元ごとに一意の送信データに復元する複雑なシーケンス制御が必要となるという問題点がある。
【０００５】
（２）同一処理が複数発生した場合に通信遅延（オーバヘッド）が発生する。
すなわち、複数タスク間にまたがるデータ通信の際、（１）で説明した処理を送信元及び送信先のタスクのみならず、その間に介在するタスク内でも行う必要がある。このため、送信元から送信先への通信にかかる処理が冗長となるという問題点がある。また、通信の際に記憶装置に記録される通信ログも冗長なものとなり、ディスクＩ／Ｏによる遅延、ログサイズの肥大化による記憶装置の容量を圧迫するなどの問題点がある。
【０００６】
【発明が解決しようとする課題】
上記したように、従来のソケット通信では、分割されたデータを一意に復元するために複雑な制御が必要となったり、通信遅延が発生したりするという問題点を解決するもので、ソケット通信におけるデータの制御を簡単に行うことができ、通信遅延を削減できる複数タスク間の通信方法及び制御装置を提供することを目的とする。
【０００７】
【課題を解決するための手段】
この発明の通信方法は、ソケット通信を用いた複数のタスク間の通信方法であって、送信元のタスクが送信データをファイル化し、このファイル化した送信データを記憶装置に記憶し、前記記憶装置に記憶した送信データのファイルを示す情報及び送信先のタスクを示す情報とからなる通知データをソケット通信にて送信先のタスクへ送信し、送信先のタスクが前記通知データを受信した際、当該通知データに基づいて前記記憶装置に記憶されている送信データを復元することを特徴とする。
【０００８】
この発明の通信方法は、ソケット通信を用いた複数のタスク間の通信方法であって、送信元のタスクが送信データをファイル化し、このファイル化した送信データを記憶装置に記憶し、前記記憶装置に記憶した送信データのファイルを示す情報及び送信先のタスクを示す情報とからなる通知データを他のタスクへ送信し、前記通知データを受信したタスクが自身宛の通知データか否かを判定し、この判定により自身宛の通知データでないと判定した場合、当該通知データを他のタスクへ転送し、前記判定により自身宛の通知データであると判定した場合、当該通知データに基づいて前記記憶装置に記録されている前記送信データを復元することを特徴とする。
【０００９】
この発明の通信方法は、ソケット通信を用いた複数のタスク間の通信方法であって、送信元のタスクが他のタスクへ送信する送信データがソケット通信において分割される可能性があるか否かを判断し、この判断により前記送信データが分割される可能性があると判断した場合、前記送信データをファイル化し、このファイル化した前記送信データを記憶装置に記憶し、前記記憶装置に記憶した前記送信データのファイルを示す情報及び送信先のタスクを示す情報とからなる通知データを他のタスクへ送信し、前記通知データを受信したタスクが自身宛の通知データか否かを判定し、この判定により自身宛の通知データでないと判定した場合、当該通知データを他のタスクへ転送し、前記判定により自身宛の通知データであると判定した場合、当該通知データに基づいて前記記憶装置に記録されている前記送信データを復元することを特徴とする。
【００１０】
この発明の制御装置は、複数の処理部間でソケット通信を行うものにおいて、各処理部は、他の処理部へ送信データを送信する際に、前記送信データをファイル化するファイル化手段と、このファイル化手段によりファイル化した前記送信データを記憶装置に記録する記録手段と、前記記憶装置に記録した前記送信データのファイルを示す情報及び送信先の処理部を示す情報とからなる通知データをソケット通信にて送信先の処理部へ送信する送信手段と、自身宛の通知データを受信した際に、当該通知データのファイルを示す情報に基づいて前記記憶装置に記録されている前記送信データを復元する復元手段とを有する。
【００１１】
この発明の制御装置は、複数の処理部間でソケット通信を行うものにおいて、各処理部は、他の処理部へ送信データを送信する際に、前記送信データをファイル化するファイル化手段と、このファイル化手段によりファイル化した前記送信データを記憶装置に記録する記録手段と、前記記憶装置に記録した前記送信データのファイルを示す情報及び送信先の処理部を示す情報とからなる通知データを他の処理部へ送信する送信手段と、前記通知データを受信した際、自身宛の通知データか否かを判定する判定手段と、この判定手段により自身宛の通知データでないと判定した場合、当該通知データを他の処理部へ転送する転送手段と、前記判定手段により自身宛の通知データであると判定した場合、当該通知データに基づいて前記記憶装置に記録されている前記送信データを復元する復元手段とを有する。
【００１２】
この発明の制御装置は、複数の処理部間でソケット通信を行うものにおいて、各処理部は、他の処理部へ送信データを送信する際に、ソケット通信において前記送信データが分割される可能性があるか否かを判断する判断手段と、この判断手段により送信データが分割される可能性があると判断した場合、前記送信データをファイル化するファイル化手段と、このファイル化手段によりファイル化した前記送信データを記憶装置に記録する記録手段と、前記記憶装置に記録した前記送信データのファイルを示す情報及び送信先の処理部を示す情報とからなる通知データを他の処理部へ送信する送信手段と、前記通知データを受信した際、自身宛の通知データか否かを判定する判定手段と、この判定手段により自身宛の通知データでないと判定した場合、当該通知データを他の処理部へ転送する転送手段と、前記判定手段により自身宛の通知データであると判定した場合、当該通知データに基づいて前記記憶装置に記憶されている前記送信データを復元する復元手段とを有する。
【００１３】
【発明の実施の形態】
以下、この発明の実施の形態について図面を参照して説明する。
図１は、本発明の実施の形態に係るコンソールシステム（制御装置）１０が適用される処理装置の一例としての紙葉類処理装置１の概略構成を示す図である。
図１に示すように、紙葉類処理装置１は、コンソールシステム（制御装置）１０に、処理ユニット２、操作表示パネル３、データベース４、及びプリンタ５などが接続された構成となっている。上記コンソールシステム（制御装置）１０は、紙葉類処理装置全体の制御を司り、処理ユニット２、操作表示パネル３、データベース４、及びプリンタ５などを制御する処理機能（タスク）を有している。
【００１４】
上記処理ユニット２は、紙葉類の状態を検知したり、紙葉類を券種ごとに区分したり、紙葉類の表裏及び向きを揃えたりするものである。上記操作表示パネル３は、操作員に対する操作案内や処理結果などを表示する表示部と操作員により操作指示が入力される操作部とを有している。上記データベース４は、上記処理ユニット２による処理結果等の集計データなどが記憶される。上記プリンタ５は、上記処理ユニット２による処理結果や上記データベース４に記憶されている集計データなどを印刷出力するものである。
図１に示すような構成により、紙葉類処理装置１では、コンソールシステム１０が上記処理ユニット２、上記操作表示パネル３、上記データベース４、及び上記プリンタ５などを制御することにより紙葉類を処理するようになっている。
【００１５】
次に、上記のような紙葉類処理装置（処理装置）１のコンソールシステム（制御装置）１０について説明する。
図２は、紙葉類処理装置（処理装置）１のコンソールシステム（制御装置）１０内の構成例を示す図である。図２に示すように、コンソールシステム１０は、複数のタスク１１〜１６により処理装置の制御を行うようになっている。各タスク１１〜１６は、アプリケーションプログラムにより構成される処理単位である。すなわち、コンソールシステム１０は、複数のタスク（アプリケーションプログラム）１１〜１６で実行される種々の処理により処理装置１の制御を行うようになっている。また、各タスク１１〜１６は、プロセス間通信機能を有し、他のタスクによる処理結果などのデータの送受信を行うことによりそれぞれの処理を実行するようになっている。また、各タスク間では、ソケット通信によりデータ通信を実現するようになっている。
【００１６】
図２に示すように、コンソールシステム１０は、複数の画面タスク（アプリケーション部）１１（１１ａ、１１ｂ、１１ｃ、…）、画面制御タスク（画面制御部）１２、主制御タスク（主制御部）１３、ユニット制御タスク（処理ユニット制御部）１４、データベース制御タスク（データベース制御部）１５、ジャーナル制御タスク（ジャーナル制御部）１６などのタスクから構成される。また、上記コンソールシステム１０は、ファイルなどを記憶する記憶装置１７を有している。また、上記記憶装置１７は、各タスク１１〜１６からのアクセスが可能となっている。また、上記記憶装置１７には、各タスクからデータの送受信に関する通信ログを記録するようにしても良い。
【００１７】
上記画面タスク１１は、処理装置１の操作表示パネル３への画面の表示、あるいは操作表示パネル３によるユーザからの操作指示の受付等のタスクを実行するアプリケーションである。上記画面タスク１１は、上記操作表示パネル３に画面を表示し、表示した画面に応じたユーザからの操作指示を受付けるものである。各画面タスク１１は、ユーザによる操作指示や処理装置内の状態変化などに応じて、上記画面制御タスク１２により切り替えられる。
【００１８】
上記画面制御タスク１２は、各画面タスク１１の切り替えなどの制御を行う。上記画面制御タスク１２は、例えば、ユーザによる操作指示に応じて画面タスク１１を切り替えることにより、上記操作表示パネル３に表示する画面の切り替えを行う。上記主制御タスク１３は、コンソールシステム１０内の全体を制御するものである。上記主制御タスク１３は、上記画面制御タスク１２、上記ユニット制御タスク１４、上記データベース制御タスク１５、及び、ジャーナル制御タスク１６等の制御を行う。
【００１９】
上記ユニット制御タスク１４は、処理ユニット２と直接通信を行うことにより処理装置１内の処理ユニット２を制御する。上記データベース制御タスク１５は、上記データベース４にデータを書き込んだり、上記データベース４からデータを読み出したりする制御を行うものである。上記ジャーナル制御タスク１６は、上記プリンタ５を制御する機能を有する。上記ジャーナル制御タスク１６は、上記プリンタ５を制御することにより処理結果などを印字する制御を行う。
【００２０】
次に、上記のように構成されるコンソールシステム１０の動作について説明する。
以下の説明では、タスク間では、ソケット通信によりデータの送受信が行なわれるものとして説明する。
まず、タスク間の通信の一例として、上記画面タスク１１からユニット制御タスク１４へデータを送信する場合について図３のフローチャートを参照しつつ説明する。図３は、上記画面タスク１１から上記処理ユニット２へデータを送信する場合の各タスクの動作を説明するためのフローチャートである。
【００２１】
まず、上記画面タスク１１は、処理ユニット２へ送信すべき送信データを作成すると（ステップＳ１）、作成した送信データがソケット通信では分割される可能性のあるデータか否かを判断する。例えば、送信データの大きさが所定の大きさ以上か否かを判断することにより、送信データの大きさに基づいてソケット通信では分割される可能性があるか否かを判断する。この判断により送信データがソケット通信では分割される可能性のあると判断した際、上記画面タスク１１は、送信データをファイル化し（ステップＳ２）、上記記憶装置１７に記録する（ステップＳ３）。この際、送信データは、例えば、バイナリ形式でファイル化されて記憶装置１７に記録される。
【００２２】
上記画面タスク１１は、送信データをファイル化して記憶装置１７に記録すると、ユニット制御タスク１４宛の通知データを作成する（ステップＳ４）。この通知データは、送信先のタスクをユニット制御タスク１４であり、ファイル化した送信データの記録場所を示すパス、ファイル名、及び、ファイルの属性を示す属性情報を含むものである。上記のような通知データを作成すると、上記画面タスク１１は、送信先をユニット制御タスク１４とした通知データを画面制御タスク１２へ送信する（ステップＳ５）。
【００２３】
上記画面制御タスク１２は、上記画面タスク１１からの通知データを受信すると、受信した通知データが当該画面制御タスク１２宛の通知データか否かを判定する。この場合は通知データの送信先がユニット制御タスク１４であるため、上記画面制御タスク１２は、受信した通知データが当該画面制御タスク１２宛の通知データでないと判定し、当該通知データを主制御タスク１３へ転送する（ステップＳ６）。
【００２４】
主制御タスク１３は、上記画面制御タスク１２から通知データを受信すると、受信した通知データが当該主制御タスク１３宛の通知データか否かを判定する。この場合は通知データの送信先がユニット制御タスク１４であるため、上記主制御タスク１３は、受信した通知データが当該主制御タスク１３宛の通知データでないと判定し、当該通知データを上記ユニット制御タスク１４へ転送する（ステップＳ７）。
【００２５】
上記ユニット制御タスク１４は、上記主制御タスク１３からの通知データを受信すると、受信した通知データが当該ユニット制御タスク１４宛の通知データであるか否かを判定する。この場合は通知データの送信先がユニット制御タスク１４であるため、上記ユニット制御タスク１４は、当該通知データに基づいて、送信データのファイル名（フルパス）とファイルの属性とを判断する。この判断により判断したファイル名とファイルの属性に従って、上記ユニット制御タスク１４は、ファイル化されて上記記憶装置１７に記録されている送信データを復元する（ステップＳ８）。ファイル化されて上記記憶装置１７に記録されている送信データを復元すると、上記ユニット制御タスク１４は、復元した送信データを処理ユニット２へ送信する（ステップＳ９）。
【００２６】
上記のような処理により画面タスクから処理ユニットへの送信データをファイル化して記憶装置に記録し、ファイルの内容を示す通知データのみをソケット通信方式により送信する。これにより、画面タスクからの処理ユニット宛の送信データを受信するタスク（ユニット制御タスク）では、送信データのサイズが大きくても分割された複数のデータを受信して送信データを復元する必要がなく、送信データの復元処理を簡単に行うことができる。
【００２７】
次に、データの送信時における各タスクの動作について説明する。
図４は、他のタスクへデータを送信する際の各タスクの動作を説明するためのフローチャートである。
まず、他のタスクへデータを送信する際、送信元のタスクは、送信データを作成する（ステップＳ１１）。送信データを作成すると、送信元のタスクは、送信データのサイズ等に基づいて、タスク間の通常のソケット通信において送信データが分割される可能性があるか否かを判断する（ステップＳ１２）。例えば、送信元のタスクは、送信データのサイズが所定のサイズ以上か否かにより送信データが分割される可能性があるか否かを判断する。
【００２８】
上記判断により送信データが分割される可能性がないと判断した場合（ステップＳ１２、ＮＯ）、送信元のタスクは、通常のソケット通信にて送信データを他のタスクへ送信する（ステップＳ１３）。
また、上記判断により送信データが分割される可能性があると判断した場合（ステップＳ１２、ＹＥＳ）、送信元のタスクは、送信データをファイル化し（ステップＳ１４）、ファイル化した送信データを上記記憶装置１７に記録する（ステップＳ１５）。
【００２９】
送信データをファイル化して上記記憶装置１７に記録すると、送信元のタスクは、送信データの送信先のタスク、ファイル名、サーチパス、ファイルの属性（ファイル形式）等を含む通知データを作成する（ステップＳ１６）。通知データを作成すると、送信元のタスクは、当該通知データを次のタスクへ送信する（ステップＳ１７）。
【００３０】
次に、上記通知データの受信時における各タスクの動作について説明する。　図５は、他のタスクからの通知データを受信した際の各タスクの動作を説明するためのフローチャートである。
まず、他のタスクから通知データを受信した際、通知データを受信したタスク（以下、受信タスクと称する）は、受信した通知データの送信先のタスクを示す情報に基づいて、受信した通知データが自身宛の通知データであるか否かを判断する（ステップＳ２１）。この判断により受信した通知データが自身宛の通知データでないと判断した場合（ステップＳ２１、ＮＯ）、受信タスクは、受信した通知データを次のタスクへ転送する（ステップＳ２２）。
【００３１】
また、上記判断により受信した通知データが自身宛の通知データであると判断した場合（ステップＳ２１、ＹＥＳ）、受信タスクは、受信した通知データに基づいてファイル化されて記憶装置１７に記録されている送信データのファイル名、パス、及びファイルの属性などを判断し、送信データを復元する処理を行う（ステップＳ２３）。この復元処理により送信データを復元すると、受信タスクは、復元した送信データに基づいた処理を実行する（ステップＳ２４）。
【００３２】
上記のように、送信元のタスクが送信データをファイル化して記憶装置に記憶し、前記記憶装置に記録した送信データのファイルを示す情報及び宛先のタスクを示す情報とからなる通知データをソケット通信にて送信先のタスクへ送信し、送信先のタスクが前記通知データを受信した際、当該通知データに基づいて前記記憶装置に記録されている送信データを復元するようにしたものである。
【００３３】
これにより、各タスク間のソケット通信を用いたデータの送受信において、冗長な処理が省略され、通信オーバヘッドを削減できる。また、データを受信したタスクが分割されたデータを復元する処理、複数タスクからの分割データを受信した際の複雑なシーケンス制御を行わなくとも良い。また、通信ログのサイズを非常に小さくできるため、ディスクＩ／Ｏによる遅延、ログサイズの肥大化による記憶装置の容量の圧迫などの問題を小さくできる。
【００３４】
なお、上記実施の形態では、各タスク間での通信について説明したが、ネットワーク上の複数のパーソナルコンピュータ間での通信、あるいは、装置内での複数の処理部間での通信においても、上記実施の形態と同様な通信が可能である。
【００３５】
【発明の効果】
以上詳述したように、この発明によれば、ソケット通信におけるデータの制御を簡単に行うことができ、通信遅延を削減できる複数タスク間の通信方法及び制御装置を提供できる。
【図面の簡単な説明】
【図１】この発明の実施の形態に係る紙葉類処理装置の概略構成を示す図。
【図２】図１の紙葉類処理装置に用いられるコンソールシステム（制御装置）内における複数のタスクの構成例を示す図。
【図３】各タスク間における通知の一例を説明するためのフローチャート。
【図４】各タスクにおけるデータの送信時の処理を説明するためのフローチャート。
【図５】各タスクにおける通知データの受信時の処理を説明するためのフローチャート。
【符号の説明】
１…紙葉類処理装置（処理装置）、２…処理ユニット、３…操作表示パネル、４…データベース、５…プリンタ、１０…コンソールシステム（制御装置）、１１（１１ａ、１１ｂ、１１ｃ、…）…画面タスク（アプリケーション部）、１２…画面制御タスク（画面制御部）、１３…主制御タスク（主制御部）、１４…ユニット制御タスク（処理ユニット制御部）、１５…データベース制御タスク（データベース制御部）、１６…ジャーナル制御タスク（ジャーナル制御部）、１７…記憶装置
【図１】
2004094808.tif 000003
【図２】
2004094808.tif 000004
【図３】
2004094808.tif 000005
【図４】
2004094808.tif 000006
【図５】
2004094808.tif 000007